(57)【特許請求の範囲】
【請求項１】
４０℃における動粘度が５０〜７０mm2／ｓであり、かつ炭素原子数２８〜３２の炭化水素分子を３〜６質量％含有する合成炭化水素油の基油と増ちょう剤を含むことを特徴とする高速クリーナー軸受用グリース組成物。
【請求項２】
合成炭化水素油が、炭素原子数４８以上の炭化水素分子を７０質量％以上含有するものである請求項１記載の高速クリーナー軸受用グリース組成物。
【請求項３】
増ちょう剤がウレア化合物である請求項１又は２記載の高速クリーナー軸受用グリース組成物。
【請求項４】
５万ｒｐｍ以上で回転するクリーナーの軸受に用いられる請求項１〜３のいずれか１項記載の高速クリーナー軸受用グリース組成物。
【発明の詳細な説明】
【０００１】
【発明の属する技術分野】
本発明は、高速クリーナー軸受用グリース組成物、特に５万ｒｐｍ以上で回転する高速クリーナー軸受用グリース組成物に関するものである。
【０００２】
【従来の技術】
従来、５万ｒｐｍ以下の回転で用いられるクリーナー用軸受では、回転数が低いためトルクや寿命に対し問題となることはなかった。しかし、クリーナーの高効率化のために吸引力を上げる必要から、回転数が５万ｒｐｍあるいは６万ｒｐｍと向上してきた。同時に省エネルギーの観点から消費電力低減のため低トルクであることも要求され、さらには製品の寿命の延長も要求されるようになってきた。このような用途に使用される高速クリーナー軸受への様々な要求に対し、従来のグリース組成物では回転トルクが上昇したり、グリース組成物が遠心力下で飛散漏洩し、軸受寿命が短くなるなどの問題を抱えていた。
【０００３】
【発明が解決しようとする課題】
本発明の目的は、高速クリーナー軸受用グリース組成物、特に５万ｒｐｍ以上で回転する高速クリーナー軸受用グリース組成物を提供することである。
本発明の他の目的は、５万ｒｐｍ以上の高速クリーナー軸受に用いられるグリース組成物であって、回転トルクが低く、グリース組成物の漏洩量が少なく、軸受寿命が長いグリース組成物を提供することである。
【０００４】
【課題を解決するための手段】
本発明は、４０℃における動粘度が５０〜７０mm2／ｓであり、かつ炭素原子数２８〜３２の炭化水素分子を３〜６質量％含有する合成炭化水素油の基油と増ちょう剤を含むことを特徴とする高速クリーナー軸受用グリース組成物を提供するものである。
【０００５】
【発明の実施の形態】
本発明は、基油として、４０℃における動粘度が５０〜７０mm2／ｓである合成炭化水素油を使用する。合成炭化水素油の動粘度が５０mm2／ｓ未満では、５万ｒｐｍ以上の回転数においてグリース組成物が飛散、漏洩し、軸受寿命が短くなってしまい、また、７０mm2／ｓを越えると、軸受の回転トルクが上昇し、エネルギーロスが生じるという点で好ましくない。
本発明に使用する合成炭化水素油は、炭素原子数２８〜３２の炭化水素分子を３〜６質量％含有するものである。炭素原子数２８〜３２の炭化水素分子の含有量が３質量％未満では、回転数が高くなるとトルクが高くなり、特に５万ｒｐｍ以上では極めて高くなる。また炭素原子数２８〜３２の炭化水素分子の含有量が６質量％を越えると、グリース組成物の漏洩量が多くなり、軸受寿命が短くなる。
【０００６】
本発明に使用する合成炭化水素油は、炭素原子数４８以上の炭化水素分子を７０質量％以上含有するものが好ましい。本発明に使用する合成炭化水素油の主成分は炭素原子数４８以上の炭化水素分子であり、合成炭化水素油中の含有量は７０〜８５質量％である。
本発明に使用する合成炭化水素油は、市販の各種ポリαオレフィン（ＰＡＯ）を上記の条件を満足するように適宜混合することにより調製できる。
本発明のグリース組成物中、上記合成炭化水素油の含有量は、好ましくは７５〜９５質量％、さらに好ましくは８０〜９０質量％である。
【０００７】
本発明のグリース組成物に使用される増ちょう剤は、ウレア系増ちょう剤であることが好ましく、特に１分子中に２個のウレア結合を有するジウレア化合物が好ましい。ジウレア化合物のうち、末端基が脂肪族又は脂環式であるジウレア化合物が好適である。
本発明のグリース組成物中、増ちょう剤は目的とするグリース組成物のちょう度に合わせて使用されるが、その含有量は通常８〜１８質量％程度である。
【０００８】
本発明のグリース組成物には、一般的にグリース組成物に配合される、酸化防止剤、極圧剤、防錆剤、腐食防止剤、油性剤等を含有させてもよい。
酸化防止剤としては、フェノール系や芳香族アミン系の化合物が挙げられる。例えば、2,6-ジ-t-ブチル-4-メチルフェノールなどのフェノール系酸化防止剤；p、p'-ジオクチルジフェニルアミンなどのアミン系酸化防止剤等があげられる。これらの酸化防止剤は、それぞれ単独で又は2種以上を混合して用いることができる。本発明のグリース組成物中、これらの酸化防止剤の量は0.5〜５質量％が適当である。
本発明のグリース組成物は従来公知の方法により製造することができる。
【０００９】
【実施例及び比較例】
増ちょう剤として脂環−脂肪族混合のジウレア化合物（ジフェニルメタン４，４´−ジイソシアネート５モル、シクロヘキシルアミン３モル、ステアリルアミン７モルのモル比で反応させたジウレア化合物）１４質量％、アミン系酸化防止剤２．５質量％、スルホン酸系及びエステル系防錆剤２．０質量％、粘度調整のための粘度向上剤（ブチル系ポリマー）を適量、残部が表１に示す組成の合成炭化水素油、を使用して、グリース組成物を調製した。グリース組成物のちょう度は比較例２のグリース組成物を２１０とした他はすべて２３０とした。グリース組成物の特性を以下の試験方法により測定し評価した。
【００１０】
トルク試験方法
軸受（呼び番号６０８）にグリース組成物を１３０ｍｇ充填し、アキシャル方向に３．９ｋｇｆの与圧を与え、内輪を６００００ｒｐｍで回転させたとき、外輪を静止させる荷重を測定し、トルクとする。
漏洩量試験方法
軸受（呼び番号６０８）にグリース組成物を１３０ｍｇ充填し、アキシャル方向に３．９ｋｇｆの与圧を与え、１４０℃×２００００ｒｐｍ×１５０時間連続回転させる。試験後測定した軸受の重量減を、グリース組成物漏洩量として算出する。
寿命試験方法
軸受（呼び番号６０８）にグリース組成物を１３０ｍｇ充填し、アキシャル方向に３．９ｋｇｆの与圧を与え、室温×６００００ｒｐｍで連続回転させる。試験中過負荷によりモーター電流値が設定値を越えた時間を、このグリース組成物の潤滑寿命時間とする。
結果を表１に示す。
【００１１】
【表１】
0004709412.tif 000002
【００１２】
表１に示すように、基油として、４０℃における動粘度が５０〜７０mm2／ｓであり、かつ炭素原子数２８〜３２の炭化水素分子を３〜６質量％含有する合成炭化水素油を用いた実施例１及び２のグリース組成物では、高速回転においてもトルクが低く、グリース組成物の漏洩量も少なく、軸受寿命は長い。
これに対して、基油として、炭素原子数２８〜３２の炭化水素分子を１４質量％含有し、その動粘度が５０mm2／ｓ未満である合成炭化水素油を用いた比較例１のグリース組成物では、高速回転におけるトルクは低いものの、グリース組成物の漏洩量が多く、軸受寿命が短い。比較例１において、ちょう度を２１０と硬くした比較例２のグリース組成物では、高速回転におけるトルクは低いものの、グリース組成物の漏洩量が多く、軸受寿命が短い。
【００１３】
比較例１又は２と同じ基油において、ブチル系ポリマーを添加して４０℃の動粘度を５０mm２／ｓに上げた比較例３のグリース組成物では、高速回転におけるトルクは低いものの、グリース組成物の漏洩量が多く、軸受寿命が短い。
炭素原子数２８〜３２の炭化水素分子を７質量％含有し、その動粘度が５０mm2／ｓ未満の合成炭化水素油を用いた比較例４のグリース組成物では、高速回転におけるトルクは低いものの、グリース組成物の漏洩量が多く、軸受寿命が短い。
炭素原子数２８〜３２の炭化水素分子を４質量％含有しているが、その動粘度が５０mm2／ｓ未満の合成炭化水素油を用いた比較例５のグリース組成物では、高速回転におけるトルクは低いものの、グリース組成物の漏洩量が多く、軸受寿命が短い。
動粘度が５０〜７０mm2／ｓであるが、炭素原子数２８〜３２の炭化水素分子の含有量が４質量％未満の合成炭化水素油を用いた比較例６及び７のグリース組成物では、グリース組成物の漏洩量が少なく、軸受寿命も長いが、高速回転におけるトルクが高い。
【００１４】
以上の結果は、高速回転においてもトルクが低く、グリース組成物の漏洩量が少なく、軸受寿命が長いグリース組成物を製造するためには、基油として、４０℃における動粘度が５０〜７０mm2／ｓであり、かつ炭素原子数２８〜３２の炭化水素分子を３〜６質量％含有する合成炭化水素油を用いることが必要であることを示している。
【００１５】
【発明の効果】
本発明のグリース組成物は、軸受に用いられた場合に、回転トルクが低く、グリース組成物の漏洩量が少なく、軸受寿命が長いという効果を奏する。特に５万ｒｐｍ以上で回転するクリーナーの軸受に用いられた場合に、その効果は特に顕著である。